(57)【要約】【課題】  芳香面積及び空気との接触面積が大きく、効果的に芳香すると共に短時間で乾燥することができ、その上安全なひのき製浴湯グッズを提供すること。【解決手段】  円板状のひのき材の外周面２をほぼ均等に多分割してそれぞれの辺を円弧状に形成すると共に、中心部に貫通穴３を設けた。  また、円板状のひのき材の中心部に貫通穴３を設けてドーナツ状に形成した。【選択図】        図１
0003113980.tif 000002
【実用新案登録請求の範囲】
【請求項１】
円板状のひのき材の外周面をほぼ均等に多分割してそれぞれの辺を円弧状に形成すると共に、中心部に貫通穴を設けたことを特徴とするひのき製浴湯グッズ。
【請求項２】
円板状のひのき材の中心部に貫通穴を設けてドーナツ状に形成したことを特徴とするひのき製浴湯グッズ。
【請求項３】
前記貫通穴の周囲に複数の小貫通穴を設けたことを特徴とする請求項１又は２記載のひのき製浴湯グッズ。
【考案の詳細な説明】
【技術分野】
【０００１】
本考案は、浴槽内の湯面に浮遊させて芳香させるひのき製浴湯グッズに関するものである。
【背景技術】
【０００２】
ひのき（檜）は芳香があって耐水力にすぐれており、また防虫、防かび、防臭、殺虫効果等があり、天然素成物のため副作用がほとんどなく、さらに、アトピーなどのアレルギー疾患に対しても皮膚の収斂作用があり、強い抗菌作用があるのでひのきが浮遊する浴槽に入浴することにより改善効果があるとされている。また、ひのきの香りは精神安定、リラックス、ストレス解消、安眠などに効果があるとされている。
このようなことから、従来から入浴時に浴槽内の湯面に、例えばひのき材をボール状に加工したグッズを浮遊させ、ひのきの香りに浸っていた。
【考案の開示】
【考案が解決しようとする課題】
【０００３】
上記のようなひのき製浴湯グッズは、時々水から出して乾燥させることにより、芳香効果を高め寿命の延長をはかっているが、ボール状の浴湯グッズの場合は、乾燥の際に床や棚などにごろごろ転がしておくか、網袋などに入れて吊しているが、転がしておく場合は、思わぬ場所まで転がったり棚から落下したりして危険なことがあり、また、いずれの場合も形状がボール状のため芯まで乾燥するのに時間がかかるという問題があった。
【０００４】
本考案は、上記の課題を解決するためになされたもので、芳香面積及び空気との接触面積が大きく、効果的に芳香すると共に短時間で乾燥することができ、その上安全なひのき製浴湯グッズを提供することを目的とするものである。
【課題を解決するための手段】
【０００５】
本考案に係るひのき製浴湯グッズは、円板状のひのき材の外周面をほぼ均等に多分割してそれぞれの辺を円弧状に形成すると共に、中心部に貫通穴を設けたものである。
また、本校案に係るひのき製浴湯グッズは、円板状のひのき材の中心部に貫通穴を設けてドーナツ状に形成したものである。
さらに、本考案に係るひのき製浴湯グッズは、上記の貫通穴の外周に複数の小貫通穴を設けたものである。
【考案の効果】
【０００６】
本考案によれば、芳香面積及び空気との接触面積が大きいので、効果的に芳香すると共に乾燥時間を短縮することができ、その上意匠性にすぐれた安全なひのき製浴湯グッズを得ることができる。
【考案を実施するための最良の形態】
【０００７】
［実施の形態１］
図１は本考案の実施の形態１に係るひのき製浴湯グッズの平面図、図２は図１の側面図、図３は図１のＡ−Ａ断面図である。
【０００８】
本考案に係るひのき製浴湯グッズ１（以下、浴湯グッズという）は、ひのき材を円板状（例えば、外径５〜１０ｃｍ程度）に形成し、その外周面２を例えばほぼ均等に穴分割あるいは八分割の如く多分割し（図には八分割の場合が示してある）、それぞれの辺を円弧状に形成すると共に、その中心部に貫通穴３（例えば、その内径は外径の２０〜５０％程度とする）を設けて花形に形成したものである。なお、板厚については特に限定しないが、例えば外径の２０〜３０％程度とすることが望ましい。
【０００９】
上記のように構成した浴湯グッズ１の使用にあたっては、浴槽及び浴湯グッズ１の大きさ等に応じて適宜選定した１個又は複数個の浴湯グッズ１を湯面に浮べる。浴湯グッズ１は上下面が平坦で外周面２が複数の円弧状に形成されており、さらに、中心部に貫通穴３が設けられているので芳香面が大きく、このため、入浴者は効果的にひのきの香りに浸ることができ、前述のひのきの効果を享受することができる。また、入浴者の身体に当っても外周面２が円弧状に形成されているので、痛いことはない。
【００１０】
乾燥する場合は、貫通穴３に例えばＳ字フックやＪ字状フックを掛けたり、紐を通して吊したり、物干竿に通したりして行う。このとき、空気との接触面積が大きく、かつ中心部に貫通穴３が設けられているので、短時間に全体を乾燥することができる。
なお、乾燥後も１個又は複数個の浴湯グッズ１の貫通穴３に紐などを通して浴室、食堂、クローゼット、玄関などに吊しておけば、場所をとることなく防虫、防かび、脱臭などの効果を得ることができ、また、居間や寝室などにおけばひのきの香りに浸ることができて、前述の精神安定効果、安眠効果などを享受することができる。
【００１１】
さらに、副次的効果として、部屋などに吊したときに、貫通穴３にリボンや造花などを飾ることができる。また、テーブルや棚等の上に立て掛けて置くこともできるので、この場合も貫通穴３にリボンや造花などを飾ってもよく、あるいは表面や貫通穴３の背面に写真などを貼りつけることもできるため、装飾グッズとして使用してもよい。
【００１２】
［実施の形態２］
図４は本考案の実施の形態２に係るひのき製浴湯グッズの正面図である。
本実施の形態は、実施の形態１の浴湯グッズ１の貫通穴３の外周に、さらに複数の小貫通穴４を設けたものである。
本実施の形態においても実施の形態１の場合とほぼ同様の効果が得られるが、さらに、貫通穴３の外周に複数の小貫通穴４を設けて空気との接触面積を拡大したので、乾燥時間をより短縮すると共に、軽量化することができる。
【００１３】
［実施の形態３］
図５は本考案の実施の形態３に係るひのき製浴湯グッズの正面図である。
実施の形態１，２では、円板状のひのき材の外周面２をほぼ均等に多分割し、それぞれの辺を円弧状に形成して中心部に貫通穴３を設けた場合を示したが、本実施の形態は、円板状のひのき材の中心部に貫通穴３を設けてドーナツ状に形成したものである。なお、本実施の形態においても、実施の形態２の場合と同様に、貫通穴３の外周に小貫通穴４を設けてもよい。
本実施の形態においても実施の形態１の場合とほぼ同様の効果を得ることができるが、形状が簡単なので、コストを低減することができる。
【図面の簡単な説明】
【００１４】
【図１】本考案の実施の形態１に係るひのき製浴湯グッズの平面図である。
【図２】図１の側面図である。
【図３】図１のＡ−Ａ断面図である。
【図４】本考案の実施の形態２に係るひのき製浴湯グッズの平面図である。
【図５】本考案の実施の形態３に係るひのき製浴湯グッズの平面図である。
【符号の説明】
【００１５】
１  ひのき製浴湯グッズ
２  外周面
３  貫通穴
４  小貫通穴
【図１】
0003113980.tif 000003
【図２】
0003113980.tif 000004
【図３】
0003113980.tif 000005
【図４】
0003113980.tif 000006
【図５】
0003113980.tif 000007